(57)【要約】【課題】閃光装置の発光が、交換レンズの鏡筒表面で反射し、外部調光受光部に入射して外部調光に与える影響を補正し、精度を向上可能とする。【解決手段】カメラシステムは、閃光装置を利用可能なカメラ本体に対して、交換レンズを着脱可能に装着して成る。交換レンズは、レンズ情報をカメラに出力する手段と、距離情報を検出する手段とを備える。閃光装置は、発光部と、被写体から反射する光量を検出する調光素子と、この調光素子で検出した光量が発光停止レベルとなったときに、発光を停止させる動作を行なう発光停止手段と、レンズ情報によりレンズ鏡筒の反射率が大きいことを検知し、距離情報により被写体までの距離が遠距離である場合に、アンダー露出とならないように、発光停止レベルを補正する補正手段とを備える。【選択図】図４
2012003188.tif 000002
【特許請求の範囲】
【請求項１】
閃光装置を利用可能なカメラ本体に対して、交換レンズを着脱可能に装着して成るカメラシステムにおいて、
前記交換レンズは、レンズ情報をカメラに出力する手段と、距離情報を検出する手段とを備え、
前記閃光装置は、発光部と、被写体から反射する光量を検出する調光素子と、当該調光素子で検出した光量が発光停止レベルとなったときに、発光を停止させる動作を行なう発光停止手段と、前記レンズ情報によりレンズ鏡筒の反射率が大きいことを検知し、前記距離情報により被写体までの距離が遠距離である場合に、アンダー露出とならないように、前記発光停止レベルを補正する補正手段とを備える、
ことを特徴とするカメラシステム。
【請求項２】
前記レンズ情報は、交換レンズの種類の情報（ＩＤ情報）であることを特徴とする請求項１に記載のカメラシステム。
【請求項３】
前記レンズ情報はレンズの鏡筒の反射率の情報であることを特徴とする請求項１に記載のカメラシステム。
【請求項４】
前記発光停止レベルを補正する前記補正手段は、コンパレータと可変できる電圧設定手段により発光停止レベルを変更するよう構成されていることを特徴とする請求項１に記載のカメラシステム。
【請求項５】
前記カメラ本体と閃光装置とを着脱可能にコードで接続されたことを検出する検出手段をさらに備え、
前記検出手段で前記コードが接続されていることを検出したときに、前記補正手段が前記発光停止レベルの補正を行なわないように制御することを特徴とする請求項１に記載のカメラシステム。
【請求項６】
前記カメラ本体に閃光装置が取り付けられたことを検出する検出手段をさらに備え、
前記検出手段で前記閃光装置が取り付けられたことを検出したときに、前記補正手段が前記発光停止レベルの補正を行なわないように制御することを特徴とする請求項１に記載のカメラシステム。
【発明の詳細な説明】
【技術分野】
【０００１】
本発明は、調光機能を有する閃光装置と交換レンズとを利用可能なカメラシステムに関する。
【背景技術】
【０００２】
一般に、撮像装置には、交換レンズ方式のカメラで、調光機能を有する閃光装置が利用可能なカメラシステムがある。このようなカメラのシステムで用いられる閃光発光を制御する方式には、外部調光オート方式やＴＴＬ方式がある。
【０００３】
この外部調光オート方式は、閃光装置の閃光発光の被写体からの反射光を受光センサである調光素子が受光し、その受光光量を積分し、所定レベルに到達したら発光を停止させ適正な発光光量になるように制御する方式である。
【０００４】
従来の閃光装置には、あらかじめ決められたガイドナンバー（フル発光）により発光を制御する第一の発光制御手段と、外部調光オート方式で閃光発光を制御する第２の発光制御手段との２つの制御手段を持つものがある。そして、この２つの制御手段を持つ閃光装置では、バウンス時に第２の発光制御手段を使用することが提案されている（例えば、特許文献１参照）。
【先行技術文献】
【特許文献】
【０００５】
【特許文献１】特開平３−４２６４４号公報
【発明の概要】
【発明が解決しようとする課題】
【０００６】
しかしながら、上述のような閃光装置では、外部調光オート方式であっても、発光部のパネルからの直接光が交換レンズの鏡筒の表面で反射し、外部調光受光部に入射する場合がある。このような場合に、交換レンズの鏡筒の表面の反射率が高いと、この表面で反射して外部調光受光部に入射する光量が大きくなって露出がアンダーになるという問題があった。
【０００７】
本発明の目的は、閃光装置の発光が交換レンズの鏡筒表面で反射し、外部調光受光部に入射して外部調光に与える影響を補正し、閃光装置の発光精度を向上させることにある。
【課題を解決するための手段】
【０００８】
上記目的を達成するために、本発明のカメラシステムは、閃光装置を利用可能なカメラ本体に対して、交換レンズを着脱可能に装着して成るカメラシステムにおいて、前記交換レンズは、レンズ情報をカメラに出力する手段と、距離情報を検出する手段とを備え、前記閃光装置は、発光部と、被写体から反射する光量を検出する調光素子と、当該調光素子で検出した光量が発光停止レベルとなったときに、発光を停止させる動作を行なう発光停止手段と、前記レンズ情報によりレンズ鏡筒の反射率が大きいことを検知し、前記距離情報により被写体までの距離が遠距離である場合に、アンダー露出とならないように、前記発光停止レベルを補正する補正手段とを備える、ことを特徴とする。
【発明の効果】
【０００９】
本発明によれば、装着された交換レンズの種類によらず、精度よく閃光装置を発光させることができる。
【図面の簡単な説明】
【００１０】
【図１】本発明の第１実施の形態に係わるカメラシステムの概略構成を示すブロック図である。
【図２】本発明の第１実施の形態に係わるカメラシステムの撮影用処理を示すフローチャートである。
【図３】本発明の第１実施の形態に係わるカメラシステムのレリーズ動作の処理を示すフローチャートである。
【図４】本発明の第１実施の形態に係わるカメラシステムのストロボ制御処理を示すフローチャートである。
【図５】（ａ）（ｂ）は、本発明の第１実施の形態に係わるカメラシステムの効果を説明するための比較例を示す概略説明図である。
【図６】本発明の第１実施の形態に係わるカメラシステムの効果を説明するための比較例を示すグラフである。
【図７】本発明の第１実施の形態に係わるカメラシステムの効果を例示するグラフである。
【図８】本発明の第２実施の形態に係わるカメラシステムの概略構成を示すブロック図である。
【図９】本発明の第２実施の形態に係わるカメラシステムのストロボ制御処理を示すフローチャートである。
【図１０】本発明の第１実施の形態に係わるカメラシステムのストロボ制御処理で利用する基準電圧補正量を求めるのに利用するテーブルである。
【発明を実施するための形態】
【００１１】
〔第１実施の形態〕
以下、本発明の撮像装置の第１実施の形態に係わるカメラシステムについて図面を参照しながら説明する。このカメラシステムは、閃光装置（以下ストロボ装置と言う）３００を利用可能なカメラ本体（デジタルカメラのボディ）１００に対して、交換レンズ２００を着脱可能に装着して成る。
【００１２】
このカメラシステムの構成を示すブロック図である図１で、１００はカメラ本体（デジタルカメラのボディ）、２００は交換レンズ、３００はストロボ装置（閃光装置）である。これら交換レンズ２００とストロボ装置３００とは、それぞれカメラ本体１００に対して着脱可能に装着されている。
【００１３】
まず、カメラ本体１００（デジタルカメラのボディ）内の構成について説明する。
【００１４】
このカメラ本体１００は、マイクロコンピュータであるＣＣＰＵ（以下、カメラマイコンと言う）１０１で制御されるよう構成されている。
【００１５】
このカメラマイコン１０１は、マイコン内蔵ワンチップＩＣ回路構成となっている。このＩＣ回路構成は、ＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄ、Ｄ／Ａコンバータ等を含む。このカメラマイコン１０１は、カメラシステムの制御をソフトウェアで行えるように構成されており、各種の条件判定を行う。
【００１６】
このカメラ本体１００は、赤外カットフィルタやローパスフィルタ等を含むＣＣＤ，ＣＭＯＳ等の撮像素子１０２を備える。この撮像素子１０２には、後述するレンズ群２０２によって撮影時に被写体の像が結像される。また、非撮影時に撮像素子１０２を遮光し、撮影時に開いて撮像素子１０２へ光線を導く、シャッター１０３が設置されている。また、非撮影時にレンズ群２０２より入射する光の一部を反射しピント板１０５に結像させる、主ミラー１０４（ハーフミラー）が設置されている。このピント板１０５は、不図示の光学ファインダー内のピントを目視で確認できるように構成されている。これらがカメラ本体１００の備える撮像系である。
【００１７】
１０６は、回路内に実装された測光センサーで被写体の撮影範囲を複数の領域に分割しそれぞれの領域で測光を行うように構成した測光回路である。この測光回路１０６内の測光センサーは、後述するペンタプリズム１１４を介してピント板１０５に結像された被写体像を測光するように構成されている。１０７は、焦点検出回路であり、回路内の測距センサーが複数点を測距ポイントとして持ち、測光センサーの分割された部分に対応した位置に測距ポイントが含まれているように構成されている。
【００１８】
１０８は、撮像素子１０２の信号の増幅のゲインを切換えするためのゲイン切換え回路である。このゲイン切換え回路１０８によるゲインの切換えは、撮影の条件や撮影者の入力等によりカメラマイコン１０１の指令により行われる。１０９は、増幅された撮像素子１０２からのアナログ信号をデジタル信号に変換するＡ／Ｄ変換器である。１１０は、撮像素子１０２の増幅された信号入力とＡ／Ｄ変換器１０９の変換タイミングを同期させるためのタイミングジェネレータ（ＴＧ）である。１１１は、Ａ／Ｄ変換器１０９でディジタル信号に変換された画像データをパラメータにしたがって画像処理を行う、ディジタル信号処理回路である。尚、カメラ本体１００には、図示しないが、処理画像の記憶のためのメモリ等が装着されている。
【００１９】
このカメラ本体１００は、インタフェースの信号ラインＳＣを介して、交換レンズ２００とストロボ装置３００との間で、例えばカメラマイコン１０１をホストとして、データの交換やコマンドの伝達を相互に行うよう構成されている。
【００２０】
またカメラ本体１００は、カメラマイコン１０１が、インタフェースの信号ラインＳＣと通信クロック端子を介して、ストロボマイコン３１０との間で発光開始信号の送信等の通信を行うように構成されている。
【００２１】
さらに、カメラ本体１００のカメラマイコン１０１は、インタフェースの信号ラインＳＣとデータを送信する端子を介して、レンズマイコン２０１との間で通信を行うように構成されている。
【００２２】
１１２は、撮像素子１０２のゲインの設定の入力操作、カメラの各種設定等を外部から入力可能とするスイッチやボタン等を設けた各種入力部である。１１３は、各種設定されたモードやその他の撮影情報等を表示する液晶装置や発光素子等からなる表示部である。
【００２３】
１１４は、ピント板１０５の被写体像を測光回路１０６内の測光センサー及び図示しない光学ファインダーに導くペンタプリズムである。１１５は、レンズ群２０２より入射し主ミラー１０４を透過した光線を焦点検出回路１０７の測距センサーへ導くサブミラーである。
【００２４】
次に、本カメラシステムにおける交換レンズ２００内の構成と動作について説明する。
【００２５】
この交換レンズ２００は、交換レンズ２００の各部の動作を制御するマイクロコンピュータＬＰＵ（以下、レンズマイコン）２０１を備える。
【００２６】
このレンズマイコン２０１は、マイコン内蔵ワンチップＩＣ回路構成となっている。ＩＣ回路構成は、ＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄ、Ｄ／Ａコンバータ等を含む。また、このレンズマイコン２０１は、カメラシステムの制御をソフトウェアで行えるもので、各種の条件判定を行ったり、その記憶装置のＲＯＭ又はＥＥＰＲＯＭにレンズの種別情報（ＩＤ）、鏡筒の反射率情報を予め記憶しておく。
【００２７】
２０２は、複数枚で構成されたレンズ群である。２０３は、レンズ群２０２の焦点位置合わせ用の光学系を移動させるレンズ駆動部である。この交換レンズ２００では、カメラマイコン１０１が、レンズ群２０２の駆動量を、カメラ本体１００内にある焦点検出回路１０７の出力に基づいて演算して制御する。
【００２８】
２０４は、レンズ群２０２の駆動時に位置を検出するエンコーダ２０４であり、エンコーダ２０４の出力であるエンコーダ情報により被写体距離情報を検出する。
【００２９】
そして、カメラマイコン１０１は、算出したレンズ群２０２の駆動量をレンズマイコン２０１に通信し、エンコーダ２０４の駆動情報により駆動量分だけレンズ駆動部２０３を動作させ、レンズ群２０２を合焦位置へ移動させる。
【００３０】
２０５は、絞り制御回路２０６を介してレンズマイコン２０１により制御される絞りである。
【００３１】
なお、この交換レンズ２００は、レンズ群２０２の焦点距離が単焦点のものであっても、ズームレンズのように焦点距離が可変のものであっても良い。
【００３２】
上述のように構成された交換レンズ２００を備えたカメラシステムでは、カメラマイコン１０１がレンズマイコン２０１に通信し、被写体距離情報とレンズの種類（種別）の情報（ＩＤ情報）及び鏡筒の反射率情報を取得する。
【００３３】
次に、本カメラシステムにおけるストロボ装置３００の構成について説明する。
【００３４】
このストロボ装置３００は、ストロボ装置３００各部の動作を制御するマイクロコンピュータＦＰＵ（以下、ストロボマイコンという）３１０を備える。
【００３５】
このストロボマイコン３１０は、マイコン内蔵ワンチップＩＣ回路構成となっている。このＩＣ回路構成は、ＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄ、Ｄ／Ａコンバータ等を含む。このストロボマイコン３１０は、カメラシステムの制御をソフトウェアで行えるもので、各種の条件判定を行う。
【００３６】
３０１は、ストロボの電源（ＶＢＡＴ）としての電池である。３０２は、図示しないメインコンデンサに発光のためのエネルギーを蓄積させるための電池３０１の電圧を数百Ｖに昇圧する昇圧回路である。なお、図示しないメインコンデンサは昇圧回路３０２に含まれる。メインコンデンサに充電された電圧は、図示しない電圧検出回路により分圧され、分圧された電圧がストロボマイコン３１０のＡ／Ｄ変換端子に入力される。
【００３７】
図示しないメインコンデンサに充電されたエネルギーをトリガー回路３０６から放電管３０７に印加し、数ＫＶのパルス電圧で励起する事で発光させ、その光を被写体に照射する。
【００３８】
３０８は、トリガー回路３０６と共に放電管３０７の発光の開始を制御し、さらに発光の停止を制御する発光制御回路である。
【００３９】
３２２は、受光センサーとしてのフォトダイオードであり、直接またはグラスファイバーなどを介して被写体の光を受光する調光素子として構成されている。
【００４０】
３０９は、フォトダイオード３２２の受光電流を積分する積分回路であり、積分回路３０９の出力は、コンパレータ３１２の反転入力端子とストロボマイコン（電圧設定手段）３１０のＡ／Ｄコンバータ端子に入力される。このコンパレータ３１２の非反転入力端子は、ストロボマイコン３１０内のＤ／Ａコンバータ出力端子に接続され、コンパレータ３１２の出力は３１１のＡＮＤゲートの入力端子に接続される。
【００４１】
このＤ／Ａコンバータ端子電圧は発光を停止させるための基準電圧であり、ストロボマイコン３１０により可変できる。本カメラシステムでは、レンズ鏡筒の表面反射率に応じて電圧値を変えるよう構成されている。
【００４２】
本カメラシステムでは、レンズ鏡筒の反射率が大きく、遠距離の場合に、アンダー露出にあるため、基準レベルより補正量（マイナス）を加えると共に発光停止レベルを下げる。また、本カメラシステムでは、レンズ鏡筒の反射率が小さく、近距離の場合に、基準レベルに設定する。
【００４３】
前述したＡＮＤゲート３１１のもう一方の入力端子は、ストロボマイコン３１０の発光制御端子と接続され、ＡＮＤゲート３１１の出力が発光制御回路３０８に入力される。
【００４４】
このストロボ装置３００は、反射傘３１５及びパネル３１６等から成る閃光の照射角を変更するズーム光学系を備える。反射傘３１５とズーム光学系３１６の距離を所定の位置に変更することにより、被写体への照射ガイドナンバー及び配光を変化させる。
【００４５】
３１３は、モーター等から成るズーム光学系３１６を移動させるズーム駆動部であり、このズーム光学系３１６の駆動量は、ストロボマイコン３１０のズーム制御端子より信号を受け制御される。このズーム駆動量は、レンズマイコン２０１からカメラマイコン１０１を介してストロボマイコン３１０に焦点距離情報が送信され、その焦点距離情報に応じてストロボマイコン３１０がズームの駆動量を演算して決定する。
【００４６】
３１４は、ズーム光学系３１６のズーム位置を検出するエンコーダ等の位置検出部であり、この位置検出部３１４は、ストロボマイコン３１０の位置信号端子に移動情報を与える。この移動情報に基づいて、ストロボマイコン３１０は、必要な駆動量分だけズーム駆動部３１３内のモータを動作させてズーム光学系３１６を移動制御する。
【００４７】
３２０は、各種入力部（入力インタフェース）であり、例えばストロボ装置３００の側面などに配置されたスイッチで構成され、ユーザの操作によりズーム情報の入力が可能に構成されている。
【００４８】
さらに、このストロボ装置３００は、ストロボ装置３００の各状態を表示する表示部３２１と、バウンスが可能な発光部３５０とを備える。
【００４９】
次に、本カメラシステムのシーケンスに係わる、カメラマイコン１０１の具体的な動作について、図２及び図３のフローチャートを参照して説明する。
【００５０】
このカメラ本体１００では、図示しない電源スイッチがオンされるとカメラマイコン１０１が動作可能となり、カメラマイコン１０１が、図２に示す撮影用処理におけるステップＳ１から所定の動作を開始する。
【００５１】
まず、ステップＳ１では、カメラマイコン１０１が、自身のメモリやポートの初期化を行う。さらに、カメラマイコン１０１は、入力部１１２のスイッチの状態を検知して入力された指令や予め設定された入力情報を読み込み、シャッタースピードの決め方や、絞りの決め方等様々な撮影モードの設定を行う。
【００５２】
次に、カメラマイコン１０１は、図示しないシャッターボタンの半押し状態であるＳＷ１がＯＮか否かを判別する（ステップＳ２）。そして、カメラマイコン１０１は、ＯＦＦのとき（ステップＳ２でＯＦＦ）にこのステップを繰り返し、ＯＮのとき（ステップＳ２でＯＮ）にステップＳ３に進む。
【００５３】
次に、カメラマイコン１０１は、交換レンズ２００内のレンズマイコン２０１と通信ラインＳＣを介して通信を行う（ステップＳ３）。そして、交換レンズ２００の焦点距離情報（以下、レンズの焦点距離情報）や測距、測光に必要な光学情報を取得する。さらに、カメラマイコン１０１は、同様にしてレンズマイコン２０１と通信して、レンズの種別情報（ＩＤ）、鏡筒の反射率情報を取得する。
【００５４】
次に、カメラマイコン１０１は、カメラ本体１００にストロボ装置３００が装着されているかどうかをチェックする。カメラ本体１００にストロボ装置３００が装着されている場合（ステップＳ４でＹＥＳ）ならばステップＳ５へ進み、未装着の場合（ステップＳ４でＮＯ）ならばステップＳ６へ進む。
【００５５】
ストロボ装置３００が装着されている場合、カメラマイコン１０１は、ストロボマイコン３１０と通信ラインＳＣとを介して通信し、前述したステップＳ３にて取得したレンズの焦点距離情報をストロボマイコン３１０に出力する（ステップＳ５）。これにより、ストロボマイコン３１０は、受信した焦点距離情報に基づいてモータ駆動回路３１３を駆動してエンコーダ３１４で位置を検出しストロボの照射角を制御する。
【００５６】
次に、カメラマイコン１０１は、ステップＳ１で設定されたカメラの撮影モードのうち、カメラが自動焦点検出動作を行うモード（ＡＦモード）であるか否かを判定する（ステップＳ６）。そしてカメラマイコン１０１は、ＡＦモードであると判定した場合（ステップＳ６でＹＥＳ）にステップＳ７に進み、ＡＦモードでないと判定した場合（ステップＳ６でＮＯ）にステップＳ１０へ進む。
【００５７】
カメラマイコン１０１は、ステップＳ７において、焦点検出回路１０７を駆動することにより周知の位相差検出法による焦点検出動作を行う。この際、カメラマイコン１０１は、複数の測距点からどのポイントに合わせるか（測距ポイント）を、前述の入力部１１２で入力され設定されたポイント又はカメラの撮影モードに応じて決定する。さらに、カメラマイコン１０１は、近点優先を基本の考え方とした周知の自動選択アルゴリズムなどで測距ポイントを決定しても良い。このステップＳ７で決定された測距ポイントは、カメラマイコン１０１内の図示しないＲＡＭ（ランダムアクセスメモリー）に記憶される。
【００５８】
次に、カメラマイコン１０１は、焦点検出回路１０７の情報に基づきレンズの駆動量を演算する。そして、カメラマイコン１０１は、演算した駆動量を、交換レンズ２００内のレンズマイコン２０１へ通信ラインＳＣを介して送信する。カメラマイコン１０１の演算結果を受信したレンズマイコン２０１は、この演算結果に基づいてレンズ駆動回路２０３を制御し、レンズ群２０２を合焦位置に駆動する（ステップＳ８）。
【００５９】
次に、カメラマイコン１０１は、交換レンズ２００内のレンズマイコン２０１と通信ラインＳＣを介して通信して、被写体距離情報を取得する（ステップＳ９）。
【００６０】
次に、カメラマイコン１０１は、例えば、画面を６つのエリアに分割し、被写体輝度値を測光回路１０６より得る。
その輝度値は、
ＥＶｂ（ｉ）    （ｉ＝０〜５）
として、ＲＡＭに記憶させる（ステップＳ１０）。
【００６１】
次に、カメラマイコン１０１は、入力部１１２より入力されたゲイン設定の処理をゲイン切換え回路１０８により行う（ステップＳ１１）。ここでは、ＩＳＯ感度設定を行う。
【００６２】
次に、カメラマイコン１０１は、ストロボマイコン３１０と通信ラインＳＣを介して通信し、ゲイン切換え回路１０８にて取得したゲイン設定情報をストロボマイコン３１０に出力する。
【００６３】
次に、カメラマイコン１０１は、複数のエリアの被写体輝度値ＥＶｂから、周知のアルゴリズムを利用して露出値（ＥＶｓ）を決定する（ステップＳ１２）。
【００６４】
次に、カメラマイコン１０１は、ストロボマイコン３１０が充電完了信号を出力しているかどうかをチェックする（ステップＳ１３）。ここで、カメラマイコン１０１は、ストロボマイコン３１０が充電完了信号を出力していると判定した場合（ステップＳ１３でＹＥＳ）に、ステップＳ１４へ進み、出力していないと判定した場合（ステップＳ１３でＮＯ）にステップＳ１５へ進む。なお、カメラマイコン１０１は、このステップＳ１３におけるストロボマイコン３１０が充電完了信号を出力しているかどうかの判定結果を、後のステップで用いるために記憶しておく。
【００６５】
次に、カメラマイコン１０１は、ストロボ撮影を行うために適したシャッタ速度（Ｔｖ）と絞り値（Ａｖ）とを上記ステップＳ１０にて得られた測光出力に基づいて決定する（ステップＳ１４）。
【００６６】
次に、カメラマイコン１０１は、自然光撮影（ストロボ装置３００を発光させない撮影）を行うために適したシャッタ速度（Ｔｖ）と絞り値（Ａｖ）とを上記ステップＳ１０にて得られた測光出力に基づいて決定する。上記ステップＳ１４又はステップＳ１５の処理が実行されると、いずれの場合もステップＳ１６へ進む。
【００６７】
次に、カメラマイコン１０１は、ストロボマイコン３１０と通信ラインＳＣを介して通信し、その他のストロボに関する情報をストロボマイコン３１０に出力する（ステップＳ１６）。
【００６８】
次に、カメラマイコン１０１は、図示しない撮影開始のスイッチであるＳＷ２がＯＮであるか否かを判定し、ＯＦＦであると判定した場合にステップＳ１からステップＳ１６までの動作を繰り返す。また、カメラマイコン１０１は、ＯＮであると判定した場合にステップＳ１７に続く、図３のフローチャートで示した一連のレリーズ動作の処理を開始する。
【００６９】
次に、レリーズ動作の処理について、図３のフローチャートを参照して説明する。
【００７０】
このレリーズ動作の処理が開始すると、カメラマイコン１０１は、露光動作に先立って主ミラー１０４をアップさせ、撮影光路内から退去させる（ステップＳ１８）。
【００７１】
次に、カメラマイコン１０１は、ＳＣラインを介してストロボマイコン３１０へストロボ情報をストロボ装置３００に送信する（ステップＳ１９）。
【００７２】
次に、カメラマイコン１０１は、決定された露光値（ＥＶｓ）に基づく絞り値（ＡＶ）になるようにレンズマイコン２０１に指令を出す。これと共に、カメラマイコン１０１は、決定されたシャッタースピード値（ＴＶ）になるように図示しないシャッター制御回路を介してシャッター１０３を制御する（ステップＳ２０）。
【００７３】
次に、カメラマイコン１０１は、シャッター１０３の全開に同期し、ＳＣラインを介してストロボマイコン３１０に発光信号を与える。これと共に、ストロボマイコン３１０は、適正な発光量になるようにメイン発光制御を行う（ステップＳ２１）。なお、ストロボ発光の詳細な説明は後述する。
【００７４】
次に、カメラマイコン１０１は、上述した一連の露光動作を終了させると、撮影光路より退去させていた主ミラー１０４をダウンさせて再び撮影光路内に斜状にセットする（ステップＳ２２）。
【００７５】
次に、カメラマイコン１０１は、撮像素子１０２の画素データをゲイン切換え回路１０８で設定されたゲインで増幅した信号を生成し、この増幅した信号をＡ／Ｄ変換器１０９でデジタル信号として変換する。このようにして変換された画素データは、信号処理回路１１１で、ホワイトバランス等の所定の信号処理が施される（ステップＳ２３）。
【００７６】
次に、カメラマイコン１０１は、上述のように処理された画像データを、図示しないメモリに記憶して（ステップＳ２４）撮影のルーチンを終了する。
【００７７】
次に、ストロボ装置３００内のストロボマイコン３１０での具体的な動作（ストロボ制御処理）について、図４のフローチャートを参照して説明する。
【００７８】
このストロボ装置３００は、図示しない電源スイッチがオンされるとストロボマイコン３１０が動作可能となり、ストロボマイコン３１０が、図４のステップＳ１０１から所定の動作を開始する。
【００７９】
まず、ステップＳ１０１では、ストロボマイコン３１０が、自身のメモリやポートの初期化を行う。さらに、ストロボマイコン３１０は、入力されたスイッチの状態を検知して入力された指令や予め設定された入力情報を読み込み、ストロボ撮影モードや発光量等の設定を行う。
【００８０】
次に、ストロボマイコン３１０は、カメラマイコン１０１より通信ラインＳＣを介してストロボ情報を受信する。するとストロボマイコン３１０は、ストロボ情報をストロボマイコン３１０内の図示しないＲＡＭ（ランダムアクセスメモリー）に記憶させる。
【００８１】
次に、ストロボマイコン３１０は、昇圧回路３０２の動作を開始させて発光の準備を行う（ステップＳ１０２）。
【００８２】
次に、ストロボマイコン３１０は、カメラマイコン１０１から通信ラインＳＣを介して受信したレンズの焦点距離情報をチェックする。そして、ストロボマイコン３１０は、カメラマイコン１０１から受信したレンズの焦点距離情報を自身のメモリ内に記憶（格納）する。また、これ以前にレンズの焦点距離情報を自身のメモリ内に記憶していたならば、記憶内容を更新する（ステップＳ１０３）。
【００８３】
次に、ストロボマイコン３１０は、自身のメモリ内に記憶されたレンズの焦点距離情報を表示部３２１に表示する（ステップＳ１０４）。
【００８４】
次に、ストロボマイコン３１０は、ストロボ光の照射角が上記ステップＳ１０４にて選定された照射角のポジションになるようにエンコーダ３１４を介してストロボマイコン３１０の位置信号端子に移動情報を与える。そして、ストロボマイコン３１０は、位置信号端子によって必要な駆動量分だけズーム駆動部３１３内のモータを動作させ、エンコ−ダ３１４の位置信号により所定の位置へ動作させる（ステップＳ１０５）。
【００８５】
次に、ストロボマイコン３１０は、カメラマイコン１０１から送信されたレンズの種別情報（ＩＤ）、鏡筒の反射率情報、距離情報を取得する（ステップＳ１０６）。
【００８６】
次に、ストロボマイコン３１０は、レンズの種別情報（ＩＤ）、鏡筒の反射率情報により外部調光の補正レベルを合焦した距離情報に応じて補正する。すなわち、ストロボマイコン３１０は、取得したレンズの種別情報（ＩＤ）、鏡筒の反射率情報、距離情報から、ステップＳ１０７〜ステップＳ１１０の処理によって、補正方法を設定する。
【００８７】
以下、この補正の方法の設定について、図４、図７及び図１０を参照して説明する。なお、図１０に例示する補正量では、レンズの判別を４つにしているが、これに限られるものではなく、５以上の場合に分けて判別するようにしてもよい。
【００８８】
このストロボ装置３００では、外部調光の補正レベルを合焦した距離情報に応じて補正する機能が、以下のように構成されている。
【００８９】
このストロボ装置３００では、被写体から反射した光を調光素子３２２で受光して積分回路３０９で積分した出力信号が、コンパレータ３１２の反転入力端子とストロボマイコン３１０のＡ／Ｄコンバータ端子に入力される構成となっている。
【００９０】
このコンパレータ３１２の非反転入力端子は、ストロボマイコン３１０内のＤ／Ａコンバータ出力端子に接続されている。このコンパレータ３１２の出力端子は、ＡＮＤゲート３１１の入力端子に接続されている。
【００９１】
このＡＮＤゲート３１１から出力された信号は、発光制御回路３０８に入力される。発光制御回路３０８は、ＡＮＤゲート３１１からの信号を受信すると、発光を停止させる。
【００９２】
ここで、ストロボマイコン３１０内のＤ／Ａコンバータ端子電圧は、発光を停止させるための基準電圧（ＶＴＨ）となっている。この基準電圧（ＶＴＨ）は、ストロボマイコン３１０により可変可能に構成されており、下記式で求められる。
【００９３】
基準電圧（ＶＴＨ）＝ＶＴＨ０＋ｋ＋Ｌ
ここで、
ＶＴＨ０：鏡筒の反射率の影響が無い時の基準電圧
ｋ：レンズの鏡筒の反射率による補正量
Ｌ：被写体距離による補正量
ｋ＋Ｌ：補正量
である。
【００９４】
この外部調光の補正の具体的な内容としては、レンズ鏡筒の反射率が大きく、遠距離の場合に、アンダー露出にあるため基準レベルより補正量（マイナス）を加え、発光停止レベルを下げる（発光量を大きくする）。また、この外部調光の補正では、レンズ鏡筒の反射率が小さく、近距離の場合には基準レベルとする。
【００９５】
上述の外部調光の補正を行うため、図４のフローチャートにおけるステップＳ１０７では、ストロボマイコン３１０が、レンズの種別情報（ＩＤ）が「００１」であると判断した場合（ステップＳ１０７でＹＥＳ）に、ステップＳ１１１へ進む。
【００９６】
次に、ストロボマイコン３１０は、レンズの距離情報を使用して被写体距離による補正量Ｌを決める（ステップＳ１１１）。そして、ストロボマイコン３１０は、図１０に示すテーブルを参照して、レンズの種別情報（ＩＤ）が「００１」の鏡筒反射率情報に対応した基準電圧補正量「ｋ１」を求める。そして、ストロボマイコン３１０は、基準電圧補正量「ｋ１」に基づいて、基準電圧ＶＴＨ１を設定（ステップＳ１１２）し、次のステップＳ１１７へ進む。
【００９７】
また、ストロボマイコン３１０は、レンズの種別情報（ＩＤ）が「００１」でないと判断した場合（ステップＳ１０７でＮＯ）にステップＳ１０８へ進む。
【００９８】
次に、ストロボマイコン３１０は、レンズの種別情報（ＩＤ）が「００２」と判定した場合（ステップＳ１０８でＹＥＳ）に、ステップＳ１１３へ進む。
【００９９】
次に、ストロボマイコン３１０は、レンズの距離情報を使用して被写体距離による補正量Ｌを決める（ステップＳ１１３）。そして、ストロボマイコン３１０は、図１０に示すテーブルを参照して、レンズの種別情報（ＩＤ）が「００２」の鏡筒反射率情報に対応した基準電圧補正量「ｋ２」を求める。そして、ストロボマイコン３１０は、基準電圧補正量「ｋ２」に基づいて、基準電圧ＶＴＨ２を設定（ステップＳ１１４）し、次のステップＳ１１７へ進む。
【０１００】
また、ストロボマイコン３１０は、レンズの種別情報（ＩＤ）が「００２」でないと判断した場合（ステップＳ１０８でＮＯ）にステップＳ１０９へ進む。
【０１０１】
次に、ストロボマイコン３１０は、レンズの種別情報（ＩＤ）が「００３」と判定した場合（ステップＳ１０９でＹＥＳ）に、ステップＳ１１５へ進む。
【０１０２】
次に、ストロボマイコン３１０は、レンズの距離情報を使用して被写体距離による補正量Ｌを決める（ステップＳ１１５）。そして、ストロボマイコン３１０は、図１０に示すテーブルを参照して、レンズの種別情報（ＩＤ）が「００３」の鏡筒反射率情報に対応した基準電圧補正量「ｋ３」を求める。そして、ストロボマイコン３１０は、基準電圧補正量「ｋ３」に基づいて、基準電圧ＶＴＨ３を設定（ステップＳ１１２）し、次のステップＳ１１７へ進む。
【０１０３】
また、ストロボマイコン３１０は、レンズの種別情報（ＩＤ）が「００３」でないと判断した場合（ステップＳ１０９でＮＯ）にステップＳ１１０へ進む。この場合、ストロボマイコン３１０が鏡筒反射率がほとんどないと判断した場合であるので、ストロボマイコン３１０は、基準電圧ＶＴＨ０を設定（ステップＳ１１０）し、次のステップＳ１１７へ進む。
【０１０４】
なお、上述した基準電圧は、下記式の関係がある。
［式１］
ＶＴＨ０＞ＶＴＨ１＞ＶＴＨ２＞ＶＴＨ３
また、上述したように補正することにより、図７に示すように、補正前はＢのカーブのように発光量がアンダーになったのに対し、基準データを被写体距離に対応して補正することで、Ａ´のカーブのように適正な範囲に補正できる。なお、ここでは、テーブルを参照して補正したが、演算により算出しても同様の結果を得ることができる。
【０１０５】
次に、ストロボマイコン３１０は、昇圧回路３０２が昇圧した電圧が放電管３０７の発光に必要な電圧レベルにまで達したか（充電完了か）どうかを判定する（ステップＳ１１７）。
【０１０６】
そして、ストロボマイコン３１０は、昇圧回路３０２が昇圧した電圧が放電管３０７の発光に必要な電圧レベルにまで達していないと判定した場合に、ステップＳ１２３へ進む。
【０１０７】
次に、ストロボマイコン３１０は、充電未完信号を出力してストロボの発光準備ができていないことを通信ラインＳＣによってカメラマイコン１０１に送信すると共に、充電信号を昇圧回路３０２に送信する（ステップＳ１２３）。その後、ストロボマイコン３１０は、ステップＳ１０２へ戻り、上述したステップを繰り返す。
【０１０８】
また、ストロボマイコン３１０は、放電管３０７の発光に必要な電圧レベルにまで達していると判定した場合に、ステップＳ１１８に進む。
【０１０９】
次に、ストロボマイコン３１０は、充電完了信号を出力してストロボの発光準備ができたことを通信ラインＳＣによってカメラマイコン１０１に送信する。
【０１１０】
次に、ストロボマイコン３１０は、カメラマイコン１０１より発光開始用信号が出力されているかどうかを判定し、発光開始用信号が出力されていないと判定した場合（ステップＳ１１９でＮＯ）にステップＳ１０２に戻り、前述したステップを繰り返す。
【０１１１】
一方、ストロボマイコン３１０は、発光開始用信号が出力されていると判定した場合（ステップＳ１１９でＹＥＳ）に、ステップＳ１２０へ進む。そして、ストロボマイコン３１０は、トリガ回路３０６とストロボマイコン３１０の発光制御端子よりＡＮＤゲート３１１を介して発光制御回路３０８にトリガ信号を与えてストロボの発光を開始させる（ステップＳ１２０）。
【０１１２】
次に、ストロボマイコン３１０は、被写体からの反射光をフォトダイオード３２２で受光すると、積分回路３０９でフォトダイオード３２２の受光電流を積分させる。そして、この積分回路３０９で積分された出力は、コンパレータ３１２の反転入力端子とストロボマイコン３１０のＡ／Ｄコンバータ端子に入力される。このとき、コンパレータ３１２の非反転入力は、ストロボマイコン３１０内のＤ／Ａコンバータ出力端子に接続され、前述の如くして、適正光量に相当する発光量に相当するＤ／Ａコンバータ値である基準電圧ＶＴＨが設定されている状態にある。
【０１１３】
次に、ストロボマイコン３１０は、設定されている基準電圧ＶＴＨのレベルまで達するまで発光を継続し（ステップＳ１２１でＮＯ）、基準電圧ＶＴＨのレベルに達達した場合（ステップＳ１２１でＹＥＳ）にステップＳ１２２へ進む。
【０１１４】
次に、ストロボマイコン３１０は、ＡＮＤゲート３１１より発光停止信号を出し発光制御回路３０８により発光を停止し、ステップＳ１０２へ戻り、前述したステップを繰り返す。
【０１１５】
次に、本実施の形態に係わるカメラシステムによる効果を理解するための比較例について、図５及び図６を参照して説明する。
【０１１６】
図５は本実施形態のカメラシステムで被写体を撮影するときの概略説明図で、５００は撮影する被写体、１００はカメラ本体、２００は交換レンズ、３００はストロボ装置（閃光装置）、３５０は発光部、３２２は調光素子であるフォトダイオードである。
【０１１７】
このようなカメラシステムに用いられる交換レンズ２００は、レンズの焦点距離の違いや用途によってレンズ鏡筒に表面の色が異なり反射率が異なるものが存在する。
【０１１８】
図５（ａ）に被写体が近距離の場合を示すように、発光部３５０にて発光した光（Ｌ１）は、被写体５００に反射して（Ｌ２）調光素子３２２に受光される。このとき発光部３５０からの光の一部は、直接光（Ｌ３）として交換レンズ２００で反射され、この反射した光（Ｌ４）は、その一部が調光素子に受光される。
【０１１９】
ここで、レンズ鏡筒の反射率が小さく、近距離の場合には、「被写体からの反射光（Ｌ２）＞レンズ鏡筒反射光（Ｌ４）」であるため、調光は適正に行なわれる。
【０１２０】
しかし、図５（ｂ）に示すように被写体が遠距離の場合には、発光部３５０で発光した光（Ｌ１’）が被写体５００で反射して（Ｌ２’）調光素子３２２に受光される。このとき発光部３５０からの光の一部は、直接光（Ｌ３’）として交換レンズ２００で反射され、反射した光（Ｌ４’）が調光素子に受光される。
【０１２１】
このような、レンズ鏡筒の反射率が大きく、遠距離の場合には、「被写体からの反射光（Ｌ２’）＜レンズ鏡筒反射光（Ｌ４’）」の関係にあるため、調光がアンダーになってしまう。
【０１２２】
このときの状態を図６のグラフを参照して説明する。この図６のグラフでは、横軸に被写体距離をとり、縦軸に適正光量に対する段差が示してある。また、図６のＡは、レンズ鏡筒の反射率が低い場合の精度を示す。図６のＢは、レンズ鏡筒の反射率が高い（例えば、レンズ鏡筒の色が白）場合の発光量の精度を示す。Ａの場合には、被写体距離によらず発光量の精度がほぼ一定であるが、Ｂの場合には、被写体距離に応じて依存して発光量の精度が下降する。
【０１２３】
また、図６のグラフの（ａ）の位置が、図５（ａ）の場合に相当し、図６のグラフの（ｂ）の位置が、図５（ｂ）の場合に相当している。
【０１２４】
図６から、レンズ鏡筒の反射率が高い場合には、被写体からの反射光とレンズ鏡筒からの反射光のバランスが被写体距離に応じて大きく変化し、被写体距離が遠いほど発光量の精度に影響することがわかる。
【０１２５】
よって、本実施の形態に係わるカメラシステムでは、外部調光の補正を、レンズ鏡筒の反射率が大きく、遠距離の場合に、基準レベルより補正量（マイナス）を加え、発光停止レベルを下げてアンダー露出を補正する。また、この外部調光の補正では、レンズ鏡筒の反射率が小さく、近距離の場合に、基準レベルとする。これにより本実施の形態に係わるカメラシステムでは、交換レンズの種類によらず適正な外部調光の補正を行うことができる。さらに、このカメラシステムでは、調光の遠距離での精度向上と、調光センサの配置位置の自由度の増加を両立でき、しかも、調光センサをレンズ近傍に配置できるので、ストロボ装置を小型化できる。
【０１２６】
〔第２実施の形態〕
以下、本発明の第２実施の形態について、図８及び図９を参照して説明する。本第２実施の形態に係わるカメラシステムでは、カメラ本体１００とストロボ装置３００とが、延長コードで接続された構成となっている。
【０１２７】
図８のブロック図で、４００は、カメラとストロボ装置を接続する延長コードであり、それぞれの通信端子は公知の脱着が可能なコネクタで構成されている。また、４０１、４０２は、インターフェース回路で、公知のバッファ回路や接続認識回路で構成されている。
【０１２８】
なお、図８のブロック図における以上説明した以外のものは、前述した図１のブロック図で説明したものと同様であるので、同一部材には同一符号を付すこととして、その説明を省略する。
【０１２９】
次に、本第２実施の形態に係わるカメラシステムにおける、ストロボ制御処理について、図９のフローチャートを参照して説明する。なお、この図９の動作のフローチャートは、前述した図４のフローチャートと対応するので、異なる部分についてのみ説明することとし、同様に動作するステップには、同一符号を付すこととして、その説明を省略する。
【０１３０】
このストロボ制御処理では、カメラシステムの電源スイッチが入力されると、ストロボマイコン３１０が、前述したようにステップＳ１０１からステップＳ１０５までの動作を実行する。そして、ストロボマイコン３１０は、ストロボ光の照射角が選定された照射角のポジションになるように動作（ステップＳ１０５）させた後、ステップＳ１０５−２へ進む。
【０１３１】
このステップＳ１０５−２で、ストロボマイコン３１０は、延長コードが接続されているか否かをインターフェース回路４０１，４０２により判断する。ここで、ストロボマイコン３１０は、延長コードが接続された状態のオフカメラであると判定した場合（ステップＳ１０５−２でＹＥＳ）に、ステップＳ１１０へ進み、オフカメラでないと判定した場合（ステップＳ１０５−２でＮＯ）にステップＳ１０６へ進む。
【０１３２】
次に、ストロボマイコン３１０は、オフカメラでない場合の処理として、前述した図４のステップＳ１０６からステップＳ１１６と同じ動作を行なう。
【０１３３】
このように、本第２実施の形態に係わるカメラシステムでは、カメラ本体１００とストロボ装置３００が脱着可能なコードで接続されたことを検出する手段を備える。そして、ストロボマイコン３１０は、コードが接続されているときに、レンズ情報と距離情報によって調光素子の発光停止時期の補正を行なわないよう制御する。これにより、ストロボ装置３００がカメラ本体１００から離れた位置に配置されているためレンズ鏡筒からの反射光の影響が無い状態となっているときに、不要な外部調光の補正が行われないようにできる。
【０１３４】
なお、本第２実施の形態における以上説明した以外の構成、作用、効果は、前述した第１実施の形態と同様なので、その説明を省略する。
【０１３５】
〔第３実施の形態〕
本第３実施の形態に係わるカメラシステムでは、カメラ本体１００とストロボ装置３００とが、ワイヤレス通信で接続された構成となっている。
【０１３６】
本第３実施の形態では、前述した図２のステップＳ４において、カメラマイコン１０１が、ストロボ装置の装着を、ストロボ通信の有無によって判別する。このため、カメラマイコン１０１は、図８のフローチャートにおけるステップＳ１０５−２で、ストロボ装着の有無を判別する。そして、カメラマイコン１０１は、ストロボ装着が無いと判別した場合（ステップＳ１０５−２でＹＥＳ）、ワイヤレス通信でストロボデータを送信する時に、図８のフローチャートにおけるステップＳ１１０へ分岐するよう制御する。
【０１３７】
または、カメラマイコン１０１がストロボマイコン３１０との通信の有無を判別することにより、ストロボ装着の有無を判別する。そして、カメラマイコン１０１は、ストロボ装着が無いと判定したときに、図８のフローチャートにおけるステップＳ１０５−２からステップＳ１１０へ分岐するように制御する。
【０１３８】
これにより、ストロボ装置３００がカメラ本体１００から離れた位置に配置されているためレンズ鏡筒からの反射光の影響が無い状態となっているときに、不要な外部調光の補正が行われないようにできる。
【０１３９】
なお、本第３実施の形態における以上説明した以外の構成、作用、効果は、前述した第１実施の形態と同様なので、その説明を省略する。
【符号の説明】
【０１４０】
１０１  カメラマイコン
２０１  レンズマイコン
３１０  ストロボマイコン
【図１】
2012003188.tif 000003
【図２】
2012003188.tif 000004
【図３】
2012003188.tif 000005
【図４】
2012003188.tif 000006
【図５】
2012003188.tif 000007
【図６】
2012003188.tif 000008
【図７】
2012003188.tif 000009
【図８】
2012003188.tif 000010
【図９】
2012003188.tif 000011
【図１０】
2012003188.tif 000012